(57)【要約】      （修正有）【課題】製造元や機能や型式が異なる多数の携帯型電子装置に単一の直流電圧源によって同時に電力供給／充電することが出来る電気的接続装置を提供する。【解決手段】入力端子は、直流入力電圧を受け入れる。直流−直流変換器は、直流入力電圧を少なくとも1つの直流出力電圧に変換する。出力端子は、直流出力電圧を多数の負荷に同時に供給する。出力端子は、それぞれの負荷に求められる多様な構造に整合するように構成された多数の端子構造を有する。【選択図】図１
2009159807.tif 000002
【特許請求の範囲】
【請求項１】
直流入力電圧を受け入れる入力端子と、
該直流入力電圧を少なくとも１つの直流出力電圧に変換するための直流−直流変換器と、
該直流出力電圧を同時に複数の負荷に供給するとともに、該複数の負荷のそれぞれが要求する複数の構造に適合するように構成された複数の端子構造を有する複数の出力端子と、
を備えていることを特徴とする電気的接続装置。
【請求項２】
該複数の出力端子と該複数の負荷との間にそれぞれ接続した複数の出力変換デバイスを更に備えることを特徴とする請求項１に記載の電気的接続装置。
【請求項３】
該複数の端子構造のそれぞれが該複数の出力変換デバイスの１つの端子と機械的に整合していることを特徴とする請求項２に記載の電気的接続装置。
【請求項４】
該複数の出力変換デバイスのそれぞれの端子は、該複数の負荷の１つの入力端子に機械的に整合していることを特徴とする請求項２に記載の電気的接続装置。
【請求項５】
該入力端子は、該直流入力電圧を受け入れるために単一の直流電圧源に接続されることを特徴とする請求項１に記載の電気的接続装置。
【請求項６】
該入力端子と該単一直流電圧源との間に接続される入力変換デバイスを更に備えることを特徴とする、請求項５に記載の電気的接続装置。
【請求項７】
該入力端子は、該入力変換デバイスの端子に機械的に整合することを特徴とする、請求項６に記載の電気的接続装置。 
【請求項８】
該入力変換デバイスの端子は、該単一直流電圧源の出力と機械的に整合することを特徴とする請求項６に記載の電気的接続装置。
【請求項９】
該入力変換デバイスは、該直流入力電圧を同時に電子デバイスと該入力端子に転送するように動作することを特徴とする請求項６に記載の電気的接続装置。
【請求項１０】
該入力変換デバイスの端子は、該電子デバイスの入力端子に機械的に整合することを特徴とする請求項９に記載の電気的接続装置。
【請求項１１】
該入力端子は、該直流入力電圧を少なくとも交流−直流変換器および自動車の煙草ライター用ソケットから選択的に受け入れるように動作することを特徴とする請求項１に記載の電気的接続装置。
【請求項１２】
該複数の負荷は、少なくとも携帯電話、ディジタル静止カメラ、ディジタル・ビデオ・カメラ、およびパーソナル・ディジタル・アシスタントから選択されることを特徴とする請求項１に記載の電気的接続装置。
【請求項１３】
該直流−直流変換器は、該直流入力電圧を異なる電圧レベルを持つ複数の直流出力電圧へ変換することを特徴とする請求項１に記載の電気的接続装置。
【請求項１４】
複数の負荷へ電圧を供給するための方法であって、
入力端子にて直流入力電圧を受け入れるステップと、
該直流入力電圧を少なくとも１つの直流出力電圧に変換するステップと、
該直流出力電圧を複数の出力端子のそれぞれによって該複数の負荷に同時に転送するステップと、
該複数の出力端子の複数の端子構造を該複数の負荷のそれぞれの要求する複数の構造に整合させるステップと、
を備えたことを特徴とする方法。
【請求項１５】
該直流入力電圧を直流電源から該入力端子へ転送するステップを更に備えることを特徴とする請求項１４に記載の方法。
【請求項１６】
電子デバイスが該直流入力電圧を該入力端子と共用できるように、該直流入力電圧を該直流電源から該電子デバイスへ転送するステップを更に備えることを特徴とする請求項１５に記載の方法。
【請求項１７】
該直流出力電圧を該複数の出力端子から該複数の負荷のそれぞれへ転送するステップを更に備えることを特徴とする請求項１４に記載の方法。
【請求項１８】
直流入力電圧を提供するための直流電圧源と、
複数の構造が求められる複数の負荷と、
該直流入力電圧を少なくとも１つの直流出力電圧へ変換するとともに、該少なくとも１つの直流出力電圧を該複数の負荷へ同時に供給するための電気的接続装置であって、該電気的接続装置は、該複数の負荷のそれぞれに接続する複数の出力端子を備えるとともに、該複数の負荷のそれぞれが求める複数の構造に整合するように構成された複数の端子構造を有していることを特徴とする電気的接続装置と、
を備えたシステム。
【請求項１９】
該直流入力電圧を該直流電圧源から受け入れるとともに、該直流入力電圧を該電気的接続装置へ転送するための入力変換デバイスを更に備えたことを特徴とする請求項１８に記載のシステム。
【請求項２０】
該入力変換デバイスは、電子デバイスに接続されるとともに、該直流入力電圧を該電子デバイスと該電気的接続装置に同時に転送することを特徴とする請求項１９に記載のシステム。
【請求項２１】
該少なくとも１つの直流出力電圧を受け入れるとともに、該少なくとも１つの直流出力電圧を該複数の負荷に転送するための複数の出力変換デバイスを更に備えることを特徴とする請求項１８に記載のシステム。
【請求項２２】
該直流電圧源は少なくとも交流−直流変換器および自動車の煙草ライター用ソケットから選択されることを特徴とする請求項１８に記載のシステム。
【請求項２３】
該複数の負荷は、少なくとも携帯電話、ディジタル静止カメラ、ディジタル・ビデオ・カメラ、およびパーソナル・ディジタル・アシスタントから選択されることを特徴とする請求項１８に記載のシステム。
【発明の詳細な説明】
【技術分野】
【０００１】
本発明は電気的な装置に関し、より具体的には電気的な接続器に関するものである。
【背景技術】
【０００２】
今日、多様な種類の携帯可能な電子装置（たとえば、ラップトップ・コンピュータ、携帯電話、ディジタル静止カメラ（ＤＳＣ)，ディジタル・ビデオ・カメラ（ＤＶＣ）、パーソナル・ディジタル・アシスタント（ＰＤＡ）など）が人々の生活に不可欠なものになってきた。 このような携帯可能な電子装置は電源として（ＡＡＡアルカリ電池のような）乾電池を用いることが出来るが、いくつかの携帯可能な電子装置は充電可能なバッテリーを用いる傾向にある。充電可能なバッテリーを充電するために用いるエネルギーは主電源から交流（ＡＣ)−直流（ＤＣ）変換器を用いてとっている。交流−直流変換器は（例えば交流電圧１１０Ｖのような）主電源の交流電圧を（例えば５．５Ｖの直流電圧のような）直流電圧へ変換して特定の携帯可能な電子装置にパワーを供給する。
【発明の開示】
【発明が解決しようとする課題】
【０００３】
しかしながら、携帯可能な電子装置が異なると、その充電可能な電池を充電するために異なる交流−直流変換器が必要となる。そのような状態ゆえに、携帯可能な電子装置のパワーが欠乏する問題を解決するために、旅行者は、携帯可能な電子装置のそれぞれに対応した多様な交流−直流変換器を持っていかなければならない。交流−直流変換器は、荷物鞄の中に余分なスペースを占めるばかりではなく、荷物かばんの重量を増加させる。更に、交流−直流変換器は、主電源から交流電圧を受け取るためにソケットに差し込まなければならない。ソケットの数が限られていると、携帯可能な電子装置はひとつずつ充電しなければならないが、これは時間がかかる。
【課題を解決するための手段】
【０００４】
本発明の実施例は、複数の出力電圧を供給する装置と方法を供給するものである。１つの実施例では、複数の出力電圧を供給する電気的接続装置は、入力端子と、直流−直流変換器と、複数の出力端子とを備える。入力端子は、直流入力電圧を受け入れる。直流−直流変換器は、直流入力電圧を少なくとも１つの直流出力電圧に変換する。出力端子は、多数の負荷に同時に直流出力電圧を供給する。出力端子は、それぞれの負荷が求める多数の構造に整合するように構成された多数の端子構造を持っている。
【発明を実施するための最良の形態】
【０００５】
本発明の利点は、その例示的実施例に関する以下の詳細説明から明らかになるであろう。その説明は、以下の付属図面と連携しているものと考えるべきである。
【０００６】
本発明の実施例を詳細に参照しよう。本発明を実施例と関連させて記述するとき、本発明をこれらの実施例だけに限定しようとするものではないということは理解されよう。反対に、本発明は、添付の請求項によって規定された本発明の狙いと技術範囲の中に含まれる代替技術、改良技術および等価技術をカバーするものであるものと意図されている。
【０００７】
図１は、本発明の１つの実施例による電気的接続装置１００を示す。１つの実施例では、電気的接続装置１００は、入力端子１０８と、直流−直流変換器１０４と、たとえば出力端子１１０，１１２、および１１４として示されている多数の出力端子とを含む。しかしながら、１つの実施例では、出力端子はいくつ含んでもよい。１つの実施例では、電気的接続装置１００は、たとえば（記述の簡明さゆえに図１には不図示の）交流−直流変換器の様な直流電圧源から入力端子１０８を経由して直流入力電圧ＶＩＮを受け入れるとともに、直流出力電圧ＶＯＵＴを、例えば携帯電話、ディジタル静止カメラ、ディジタル・ビデオ・カメラ、パーソナル・ディジタル・アシスタント、およびラップトップ・コンピュータなどの（記述の簡明さゆえに図１には不図示の）多数の負荷に出力端子１１０，１１２、および１１４を経由して、供給する。
【０００８】
入力端子１０８は、直流−直流変換器１０４の入力ピン１０２と接続して直流入力電圧ＶＩＮを供給する。１つの実施例では、直流入力電圧ＶＩＮの電圧レベルは３Ｖから２４Ｖの範囲である。直流入力電圧ＶＩＮは、直流−直流変換器１０４によって特定の電圧レベルの直流出力電圧ＶＯＵＴに変換される。１つの実施例では、直流出力電圧ＶＯＵＴの特定の電圧レベルは５．５Ｖでありうる。実際には直流−直流変換器１０４は（例として）Ｏ２Ｍｉｃｒｏ’ｓ  ＯＺ８１８チップであり、これは９Ｖから２４Ｖの範囲の入力電圧を５．５Ｖの出力電圧に変換できる。
【０００９】
前記出力端子１１０，１１２、および１１４は、直流−直流変換器１０４の出力ピン１０６に接続し、直流出力電圧ＶＯＵＴを複数の負荷へ同時に転送する。好ましくは、ソケット数に制限があっても、従来のように１つずつ電力供給／充電するのではなく、出力端子１１０，１１２、および１１４に取り付けられた複数の負荷は、（例えば交流−直流変換器のような）単一の直流電圧源によって電気的接続装置１００を経由して同時に尚電力供給／充電することが出来ることである。
【００１０】
更に、複数の負荷はそれに取り付けられる端子に対して多様な構造の要求がある。この例では、出力端子１１０，１１２、および１１４は、複数の負荷が要求する多様な構造に機械的に整合するように特別に構築することが出来る。換言すれば、出力端子１１０，１１２、および１１４は、複数の負荷のそれぞれが要求する構造に機械的に整合する構造を持つことが出来る。例えば、複数の負荷は、第１の携帯型電子装置と、第２の携帯型電子装置と、第３の携帯型電子装置とを備えている。第１の携帯型電子装置は、ユニバーサル・シリアル・バス（ＵＳＢ）用のプラグを持つ出力端子に接続可能であり、第２と第３の携帯型電子装置は、それぞれミニＵＳＢプラグとＩＥＥＥ１３９４ケーブル・プラグを持つ出力端子に接続可能である。この例では、出力端子１１０，１１２、および１１４は、第１、第２、および第３の携帯型電子装置の要求する構造に機械的に整合するように、それぞれＵＳＢポートと、ミニＵＳＢポートとＩＥＥＥ１３９４ケーブル・ポートであるように構築される。
【００１１】
このように、電気的接続装置１００は（例えば、携帯電話、ディジタル静止カメラ、およびラップトップ・コンピュータのような）複数の負荷の要求する構造に機械的に整合させることが出来て、（例えば交流−直流変換器のような）単一の直流電圧源によって複数の負荷に電力供給／充電することが出来る。好ましくは、旅行者は、複数の携帯型電子装置に同時に電力供給／充電するために、多様な交流−直流変換器を持っていくのではなく、電気的接続装置１００付きの１つの（例えば交流−直流変換器のような）電圧源だけを持っていけばよいということである。更に、電気的接続装置１００は比較的小型であるために、手荷物鞄の空間が節約でき、且つ手荷物鞄の重さが低減できる。例えば、（例えばＯ２Ｍｉｃｒｏ  Ｃｏｏｌ  Ｔｒａｖｅｌｅｒの場合）電気的接続装置１００の長さと幅は、それぞれ５９ｍｍと３５ｍｍである。
【００１２】
図２は、本発明の別の実施例による電気的接続装置２００を示す。図１と同じ記号をつけた要素は同様の機能を持ち、ここでは記述の簡明さのために繰り返しての記述は行わない。１つの実施例では、電気的接続装置２００は、入力端子１０８と、直流−直流変換器２２４と、および、出力端子２０６，２０８，２１０，２１２，２１４，２１６，２１８，および２２０のように示されている多数の出力端子とを含む。しかしながら、１つの実施例では、出力端子をいくつも含んでもよい。同様に、電気的接続装置２００は、直流入力電圧ＶＩＮを入力端子１０８を経由して（記述の簡明さのために図２には不図示の）単一の直流電圧源から受け入れる。さらに、１つの実施例では、電気的接続装置２００は、例えば直流出力電圧ＶＯＵＴ１と直流出力電圧ＶＯＵＴ２として示されているような多数の直流出力電圧を、出力端子２０６，２０８，２１０，２１２，２１４，２１６，２１８，および２２０を経由して（記述の簡明さのために図２には不図示の）複数の負荷に供給する。
【００１３】
入力端子１０８は、直流−直流変換器２２４の入力ピン２０２に接続している。直流−直流変換器２２４は、直流入力電圧ＶＩＮを異なる電圧レベルを持つ多数の直流出力電圧に変換する。例えば、直流出力電圧ＶＯＵＴ１は５．５Ｖという第１の電圧レベルを持ち、直流出力電圧ＶＯＵＴ２は１０Ｖという第２の電圧レベルを持つ。実際には直流−直流変換器２２４は、（例として）Ｏ２Ｍｉｃｒｏ’ｓ  Ｒｏｂｉｎ  Ｈｏｏｄ  ２チップでありうる。これは、９Ｖから２４Ｖの範囲の入力電圧を５．５Ｖの出力電圧と１０Ｖの出力電圧とに変換できる。
【００１４】
出力端子２０６，２０８，２１０，２１２，２１４，２１６，２１８，および２２０は直流−直流変換器２２４の、例えば出力ピン２０４および出力ピン２２２として示されているような、多数の出力ピンに接続し、直流出力電圧ＶＯＵＴ１と直流出力電圧ＶＯＵＴ２を複数の負荷に転送する。出力端子２０６，２０８，２１０，２１２，２１４，２１６，２１８，および２２０が複数の負荷に取り付けられると、これらの負荷はそれぞれ、直流出力電圧によって同時に電力供給／充電される。同様に、出力端子２０６，２０８，２１０，２１２，２１４，２１６，２１８，および２２０は、複数の負荷が要求する多様な構造に機械的に整合するために特別に構築出来る。このように、複数の負荷が別々の直流電圧と別々の端子構造を要求しても、電気的接続装置２００は、単一の直流電圧源を用いて、異なる直流電圧と異なる端子を供給することによって複数の負荷に同時に尚電力供給／充電できる。
【００１５】
図３は、本発明の１つの実施例による複数の出力電圧を供給するためのシステム３００を示す。図１と図２と同じ記号で示される要素は同様の機能を持ち、記述の簡明さのためにここでは繰り返して記述することはしない。１つの実施例では、システム３００は、電気的接続装置２００と、例えば出力アダプタ３０２，３０４，３０６，３０８，および３１０として示される多数の出力変換デバイスと、例えば入力アダプタ３４２として示されているような入力変換デバイスと、直流電圧源３４８と、多数の負荷３３２，３３４，３３６，３３８，および３４０とを含む。出力変換デバイス及び入力変換デバイスは、電圧を１つの電子デバイスから少なくとも１つの他の電子デバイスへ転送することが出来る。例えば、出力変換デバイス及び入力変換デバイスは、ＵＳＢケーブルである。ＵＳＢケーブルは、電圧を第１の端子から第２の端子へ送ることが出来る。第１の端子は、電源に接続することが出来るとともに、第２の端子は電力供給／充電される電子デバイスに接続することが出来る。１つの実施例では、出力アダプタ３０２，３０４，３０６，３０８，および３１０として示されている出力変換デバイスは、１つの実施例では、例えばアダプタ端子３１２，３１４，３１６，３１８，および３２０として示されている多数の第１の端子と、例えばアダプタ端子３２２，３２４，３２６，３２８，および３３０として示されている多数の第２の端子とを更に含む。同様に、入力アダプタ３４２として示されている入力変換デバイスは、１つの実施例では、例えばアダプタ端子３４６として示されている第１の端子と、例えばアダプタ端子３４４として示されている第２の端子を更に含んでいる。１つの実施例では、直流電圧源３４８は、交流−直流変換器であり、交流電圧(たとえば  １１０Ｖの交流電圧)を直流入力電圧ＶＩＮ(たとえば９Ｖから２４Ｖの直流電圧)に変換する。１つの実施例では、直流電圧源３４８は、またラップトップ・コンピュータの電源アダプタであってもよい。この電源アダプタは、交流電圧をラップトップ・コンピュータに必要な直流電圧に変換するラップトップ・コンピュータの電源である。直流電圧源３４８は、また直流電圧を自動車の煙草ライターに供給する自動車の煙草ライター用ソケットであってもよい。直流電圧源３４８として自動車の煙草ライター用ソケットを用いることができると自動車の中で電気的接続装置２００を用いることが便利になる。
【００１６】
電気的接続装置２００は、入力端子１０８を経由して直流電圧源３４８から直流入力電圧ＶＩＮを受け入れる。１つの実施例では、入力アダプタ３４２が直流電圧源３４８と入力端子１０８の間に接続されて、直流電圧源３４８からの直流入力電圧を電気的接続装置２００に転送する。入力アダプタ３４２のアダプタ端子３４４は直流電圧源３４８に接続され、入力アダプタ３４２のアダプタ端子３４６は、入力端子１０８に接続される。好ましくは、アダプタ端子３４４と３４６がそれぞれ直流電圧源３４８の出力端子と入力端子１０８とに機械的に整合する構造を持っていることである。
【００１７】
上に記述したように、出力端子２０６，２０８，２１０，２１２，２１４，２１６，２１８，および２２０は、負荷３３２，３３４，３３６，３３８，および３４０のそれぞれが要求する多様な構造に機械的に整合するように特に構築できることである。１つの実施例では、負荷３３２，３３４，３３６，３３８，および３４０が要求する多様な構造は、これらの負荷に取り付けられた出力変換デバイスによってそれぞれ決めることが出来る。例えば、出力アダプタ３０２は、アダプタ端子３１２にて出力端子２０６に接続されるとともに、アダプタ端子３２２にて負荷３３２に接続され、電気的接続装置２００からの（例えば５．５Ｖの直流電圧のような）第１の直流出力電圧ＶＯＵＴ１を負荷３３２に転送する。それゆえに、出力端子２０６は、アダプタ端子３１２に機械的に整合した構造をもつ。またアダプタ端子３２２は、負荷３３２の入力端子に機械的に整合している。同様に、出力アダプタ３０４及び出力アダプタ３０６は、第１の直流出力電圧ＶＯＵＴ１をそれぞれ負荷３３４及び負荷３３６に供給する。出力アダプタ３０８及び出力アダプタ３１０は、電気的接続装置２００からの（例えば１０Ｖ直流電圧のような）第２の直流出力電圧ＶＯＵＴ２をそれぞれ負荷３３８及び負荷３４０に供給する。
【００１８】
更に、負荷３３２，３３４，３３６，３３８，および３４０は、製造業者、機能、および型式が異なる携帯型電子装置であってもよい。１つの実施例では、負荷３３２はＮ社製の携帯電話器であり、負荷３３４は、Ｐ社製のディジタル静止カメラ（ＤＳＣ）であり、負荷３３６は、Ｈ社製のディジタル・パーソナル・アシスタント（ＰＤＡ）であり、負荷３３８は、Ｍ社製の携帯電話器であり、負荷３４０は、Ｓ社製のディジタル・ビデオ・カメラ（ＤＶＣ）であってもよい（ここに示した会社名は例示目的だけのためである。）。電気的接続装置２００が異なる出力端子を経由して異なる電圧レベルの多数の直流出力電圧を供給するので、多様な携帯型電子装置が単一の直流電圧源３４８によって同時に電力供給／充電できる。
【００１９】
図４は、本発明の別の実施例による、複数の出力電圧を供給するためのシステム４００を示す。図１、図２、および図３と同じ番号をつけた要素は、同様の機能を持ち、説明の簡明さのためにここで繰り返して記述することはしない。１つの実施例では、システム４００では、（例えばラップトップ・コンピュータのような）電子デバイス４０２と電気的接続装置２００とがともに、例えば入力アダプタ４０６として示すような入力変換デバイスによって直流電圧源３４８に接続されている。１つの実施例では、入力アダプタ４０６として示された入力変換デバイスは、例えばアダプタ端子４０４，４０８，および４１０として示されたような３つの端子を持つ。入力アダプタ４０６は、アダプタ端子４０８及び４１０を経由して直流電圧源３４８を電気的接続装置２００に接続する。更に、入力アダプタ４０６は、アダプタ端子４０８及び４０４を経由して直流電圧源３４８を電子デバイス４０２に接続する。直流電圧源３４８は、アダプタ４０６を通して直流入力電圧をラップトップ・コンピュータ４０２と電気的接続装置２００とに同時に供給できる。換言すれば、電気的接続装置２００は、直流電圧源３４８を電子デバイス４０２と共有することが出来る。
【００２０】
図５は、本発明の１つの実施例による多数の負荷に電圧を供給するための方法に関する流れ図５００を示す。図５では、特定のステップが開示されているが、このようなステップは例示的なものである。すなわち、本発明は、別の多様なステップや図５に示したステップの変形ステップを行うことにも適するものである。図５は、図４と組み合わせて記述される。
【００２１】
ブロック５０２では、直流入力電圧が入力端子にて受け入れられる。１つの実施例では、電気的接続装置２００の入力端子１０８は、直流電圧源３４８によって供給される直流入力電圧を受け入れる。
【００２２】
ブロック５０４では、直流入力電圧は少なくとも１つの直流出力電圧に変換される。１つの実施例では、直流入力電圧ＶＩＮは、直流−直流変換器２２４によって第１の直流出力電圧ＶＯＵＴ１と第２の直流出力電圧ＶＯＵＴ２に変換される。
【００２３】
ブロック５０６では、直流出力電圧が一又は複数の出力端子へ供給される。１つの実施例では、直流出力電圧ＶＯＵＴ１は、直流−直流変換器２２４の第１の出力ピン２０４から出力端子２０６、２０８，２１０，２１２，および２１４へ供給される。１つの実施例では、直流出力電圧ＶＯＵＴ２は、直流−直流変換器２２４の第２の出力ピン２２２から出力端子２１６，２１８，および２２０へ供給される。 
【００２４】
ブロック５０８では、少なくとも１つの直流出力電圧は、出力端子を経由して多数の負荷に同時に転送される。１つの実施例では、直流出力電圧は、出力端子２０６，２０８，２１０，２１６，および２１８を経由して負荷３３２,３３４,３３６,３３８,および３４０に転送される。さらに、出力端子２０６，２０８，２１０，２１６，および２１８は負荷３３２，３３４，３３６，３３８，および３４０のそれぞれが要求する多数の構造に整合するように構成された多様な構造を持つことが出来る。
【００２５】
更に、直流電圧源３４８からの直流入力電圧は、入力変換デバイスに供給される。１つの実施例では、直流電圧源３４８からの直流入力電圧は、入力変換デバイス４０６を経由して電気的接続装置の入力端子１０８に転送される。さらに、直流電圧源３４８からの入力電圧は、電子デバイスにも転送することが出来て、電子デバイスが電気的接続装置の入力端子１０８と直流入力電圧を共有することが出来るようになる。１つの実施例では、入力変換デバイス４０６は、直流電圧源３４８からの直流入力電圧を電子デバイス４０２と電気的接続装置の入力端子１０８とに同時に転送する。それゆえに、電子デバイス４０２と電気的接続装置２００は、直流電圧源３４８を共有することになる。
【００２６】
纏めると、１つの実施例では、電気的接続装置は、１つの直流入力電圧から複数の出力電圧を供給する。電気的接続装置の複数の出力端子は、異なる電圧レベルの直流出力電圧を供給することが出来、且つ異なる負荷の異なるアダプタ端子に機械的に整合することが出来る。それゆえに、電気的接続装置は、製造元や機能や型式が異なる多数の携帯型電子装置に単一の直流電圧源によって同時に電力供給／充電することが出来る。さらに、電気的接続装置は、また多様な直流電圧源に適応することが出来るので、本電気的接続器は多様な状況で使用するのに便利なものとなる。
【００２７】
ここに用いた用語や表現は説明のためのものであり、制限をするためのものではない。そのような用語や表現を用いて図示され、或は記述された特徴（或はその１部分）と等価ないかなるものをも排除する意図はなく、多様な改良が請求項の技術範囲の中で可能であるものと認識される。その他の改良、変形および代替も可能である。したがって請求項は、そのような同等のものを全て包含するものと意図されている。
【図面の簡単な説明】
【００２８】
【図１】本発明の１つの実施例による、電気的接続装置の概略図である。
【図２】本発明の別の実施例による、電気的接続装置の概略図である。
【図３】本発明の１つの実施例による、複数の出力電圧を供給するためのシステムの概略図である。
【図４】本発明の別の実施例による、複数の出力電圧を供給するためのシステムの概略図である。
【図５】本発明の１つの実施例による、多数の負荷に電圧を供給するための方法の流れ図である。
【符号の説明】
【００２９】
１００  電気的接続装置
１０４  直流−直流変換器
１１０、１１２、１１４  出力端子
【図１】
2009159807.tif 000003
【図２】
2009159807.tif 000004
【図３】
2009159807.tif 000005
【図４】
2009159807.tif 000006
【図５】
2009159807.tif 000007